(57)【特許請求の範囲】
【請求項１】
シートバックとシートクッションの間に設けられ、これらを角度調整可能に連結するリクライニング装置であって、
外周面に外歯を有する外歯部材と、内周面に前記外歯よりも数が多い内歯を有する内歯部材を有し、前記外歯と前記内歯を噛合わせることで前記外歯部材と前記内歯部材の両歯部材が偏心した状態で噛合いつつ相対的に回転し、
前記両歯部材の一方の略中央位置に形成された支持穴と、前記両歯部材の他方の略中央位置に形成されかつ前記支持穴に突入する支持突部と、これら支持穴と支持突部の間に設けられる楔と、前記楔を前記支持穴の壁面と前記支持突部との間に押し込むことで前記両歯部材を回転不能にロックするロック用ばねと、前記ロック用ばねに抗して前記楔を押すことで前記両歯部材を相対回転可能にするロック解除部材とを有し、
前記ロック解除部材と前記楔の間には、前記ロック用ばねと別体に形成されかつ前記ロック解除部材の前記楔への衝撃を和らげる弾性部材が設けられ、
前記弾性部材は、前記ロック用ばねよりも小さいばね力を有するばねで構成され、
前記弾性部材は、前記支持穴と前記支持突部の間でかつ前記楔と前記ロック解除部材の間に配設され、かつ半径方向に屈曲された板ばねであり、常時前記楔と前記ロック解除部材に当接していることを特徴とするリクライニング装置。
【請求項２】
請求項１に記載のリクライニング装置であって、
支持穴と支持突部の間に一対の円弧状の楔が設けられ、
前記一対の楔の一端部間をロック用ばねによって離間する方向に付勢し、
前記一対の楔の他端部間にロック解除部材の楔押部が配設され、
前記楔押部と前記各楔との間に弾性部材が設けられることを特徴とするリクライニング装置。
【発明の詳細な説明】
【技術分野】
【０００１】
本発明は、シートバックとシートクッションの間に設けられ、これらを角度調整可能に連結するリクライニング装置に関する。特に無段階で角度調整することのできるリクライニング装置に関する。
【背景技術】
【０００２】
従来、無段階で角度調整することのできるリクライニング装置が知られている（特許文献１参照）。この種のリクライニング装置は、外周面に外歯を有する外歯部材と、内周面に外歯よりも数の多い内歯を有する内歯部材を有しており、外歯と内歯を噛合わせることでこれら両歯部材が偏心した状態で噛合い、外歯部材が内歯部材に対して自転しつつ公転することで、両歯部材の相対的な回転角度が変化する。その結果、シートバックがシートクッションに対して角度調整される。
【０００３】
また外歯部材には、略中央に支持穴が形成されており、支持穴には、内歯部材の略中央に円筒状に形成された支持突部が突入される。そして支持穴と支持突部の間に円弧状の楔が設置され、楔をロック用ばねによって支持穴の壁面と支持突部の間に押し込むことで、両歯部材が回転不能になる。そしてロック解除部材によって楔をロック用ばねに抗して押すことで両歯部材が相対回転可能なロック解除状態になる。このロック解除部材は、ロック用ばねに向けて突出する突起を有しており、ロック用ばねは、その突起に当る抵抗受部を有している。したがってロック解除部材を回動させると、突起がロック用ばねの抵抗受部からばね力を受ける。そのため楔に当った瞬間にロック解除部材の回動トルクが急激に大きくなることが防止され得る。かくしてロック解除部材の操作性が向上したり、ロック解除部材が楔に当る際における音を小さくしたりすることができる。
【特許文献１】特開平７−２８４４２３号公報
【発明の開示】
【発明が解決しようとする課題】
【０００４】
しかしロック用ばねは、ロック解除部材の突起から力を受けて変形するのみならず、ロック解除部材によって楔が押された際にも変形する。そのためロック用ばねの変形量が多くなって、ロック用ばねが楔から外れるおそれがあった。そこで本発明は、ロック解除部材が楔に当る際の音を小さくする構造を有し、かつロック用ばねが楔から外れ難い構成を有するリクライニング装置を提供することを課題とする。
【課題を解決するための手段】
【０００５】
前記課題を解決するために本発明は、各請求項に記載の通りの構成を備えるリクライニング装置であることを特徴とする。すなわち請求項１に記載の発明によると、偏心した状態で噛合いつつ相対的に回転する外歯部材と内歯部材の両歯部材を有している。そして両歯部材の一方の略中央位置に形成された支持穴と、両歯部材の他方の略中央位置に形成されかつ支持穴に突入する支持突部と、これら支持穴と支持突部の間に設けられる楔と、楔を支持穴の壁面と支持突部との間に押し込むことで両歯部材を回転不能にロックするロック用ばねと、ロック用ばねに抗して楔を押すことで両歯部材を相対回転可能にするロック解除部材を有している。そしてロック解除部材と楔の間には、ロック用ばねと別体に形成されかつロック解除部材の楔への衝撃を和らげる弾性部材が設けられている。
【０００６】
したがってロック解除する場合は、ロック解除部材が楔に向けて移動して弾性部材が弾性変形する。そのため弾性部材の弾性力によってロック解除部材の楔への衝撃が和らげられ、ロック解除部材と楔の間に生じ得る音を小さくすることができる。また弾性部材は、ロック用ばねと別体に形成されている。そのためロック用ばねは、衝撃和らげのために弾性変形することがなく、衝撃和らげのために大きく弾性変形して楔から外れてしまうことが防止され得る。
【０００７】
請求項１に記載の発明によると、弾性部材は、ロック用ばねよりも小さいばね力を有するばねで構成されている。したがってロック解除する場合は、ロック解除部材によって弾性部材が弾性変形し、続いてロック用ばねが弾性変形する。そのため二つのばね力によってスムーズな操作性を得ることができ、かつ好適にロック解除部材と楔の間に生じ得る音を小さくすることができる。
【０００８】
請求項１に記載の発明によると、弾性部材は、支持穴と支持突部の間でかつ楔とロック解除部材の間に配設される。したがってこれらの隙間を利用して弾性部材を設置するために弾性部材が安定良く収まる。そして装置を大きくすることなく、弾性部材を設けることが可能である。
【０００９】
請求項２に記載の発明によると、支持穴と支持突部の間に一対の円弧状の楔が設けられる。一対の楔の一端部間をロック用ばねによって離間する方向に付勢する。一対の楔の他端部間にロック解除部材の楔押部が配設される。そして楔押部と各楔との間に弾性部材が設けられる。したがってリクライニング装置は、ロック解除部材をいずれの方向に回動させてもロック解除され得る。そしていずれの回動方向においても弾性部材が弾性変形するため、ロック解除部材と楔の間に生じ得る音を小さくすることができる。
【発明を実施するための最良の形態】
【００１０】
（実施の形態１）
実施の形態１を図１〜４にしたがって説明する。乗物用シート１０は、図１に示すように車両等の乗物に搭載されるシートであって、シートクッション１１とシートバック１２を有している。シートクッション１１とシートバック１２は、フレーム１１ａ，１２ａを有している。そしてフレーム１１ａ、１２ａの間には、シートバック１２をシートクッション１１に対して角度調整可能に連結するためのリクライニング装置１が設けられている。
【００１１】
リクライニング装置１は、図２，３に示すように外歯部材２と内歯部材３とこれらを回動可能に取付けるかしめリング８を有している。外歯部材２は、外周面に外歯２ａを有する環状本体２ｂと、フランジ２ｄを有している。環状本体２ｂの中心には、円孔状の支持穴２ｃが形成されている。フランジ２ｄは、環状本体２ｂの側部に一体に設けられ、環状本体２ｂよりも大きな径を有する環形状を有している。フランジ２ｄには、フレーム１１ａの取付孔１１ａ１に嵌合される複数の取付凸部２ｅが形成されている。
【００１２】
内歯部材３は、図２，３に示すように内周面に内歯３ａを有する環状本体３ｂと、底体３ｃを有している。環状本体３ｂの内周径は、外歯部材２の環状本体２ｂの外周径よりも大きく、内歯３ａの数は、外歯２ａの数よりも多い。したがって内歯部材３の内周側に外歯部材２の環状本体２ｂが偏心した状態で設置されて、数個の外歯２ａが数個の内歯３ａに噛合う。したがって外歯部材２が内歯部材３に対して自転しつつ公転することで、外歯部材２と内歯部材３の相対的な回転角度が変化する。これによりシートクッション１１とシートバック１２の間の相対角度を変化させることができる。
【００１３】
内歯部材３の底体３ｃは、図２，３に示すように環状本体３ｂの側部に一体に設けられ、環状本体３ｂよりも小さな径を有する円盤形状を有している。底体３ｃには、フレーム１２ａに形成された取付孔１２ａ１に嵌合される複数の取付凸部３ｅが形成されている。底体３ｃの中央位置には、円筒状の支持突部３ｄが形成されている。支持突部３ｄは、外歯部材２の支持穴２ｃに突出される。
【００１４】
支持穴２ｃと支持突部３ｄは、図４に示すように外歯部材２と内歯部材３が偏心した状態で噛合うために偏心する。したがって支持穴２ｃと支持突部３ｄの間には、広い隙間部（図４上側）と狭い隙間部（図４下側）が形成される。そして内歯部材３と外歯部材２は、図３，４に示すようにかしめリング８のかしめ部８ａを折り曲げることで回転可能に連結される。
【００１５】
楔４は、図３，４に示すように円弧状であって、支持穴２ｃと支持突部３ｄの間に設置される。楔４は、一端部に掛止部４ａを有しており、他端部に先細り部４ｂを有している。先細り部４ｂは、先端ほど細く、支持穴２ｃと支持突部３ｄの狭い隙間側に向けて食い込み得る構成になっている。掛止部４ａは、他方の楔４に向けて突出しており、ロック用ばね５の掛止部５ａが掛け止められる。
【００１６】
ロック用ばね５は、図３，４に示すように円弧状であって、両端部に掛止部５ａを有している。このロック用ばね５は、弾性変形されつつ掛止部５ａが楔４に掛け止められることで一対の楔４の一端部間を離間する方向に楔４を付勢し、先細り部４ｂを支持穴２ｃの壁面と支持突部３ｄとの間に押し込む。したがって楔４によって外歯２ａと内歯３ａのバックラッシュが０になり、外歯部材２と内歯部材３が相互に回転不能になる。これによりリクライニング装置１がロック状態になって、シートバック１２がシートクッション１１に対してロックされる。
【００１７】
リクライニング装置１は、図３，４に示すようにロックを解除するためのロック解除部材６を有している。ロック解除部材６は、取付軸部６ａとスプライン軸部６ｄとフランジ部６ｂを有している。取付軸部６ａは、円柱状であって、内歯部材３の支持突部３ｄの中心孔に挿通される。スプライン軸部６ｄは、取付軸部６ａの軸線上に延びており、外周面に軸方向に延出する溝を有している。そしてスプライン軸部６ｄには、図示省略のモータや操作レバーなどがスプライン嵌合される。
【００１８】
フランジ部６ｂは、図３，４に示すように取付軸部６ａとスプライン軸部６ｄの間位置に形成されている。フランジ部６ｂは、円盤形状であって、楔４を覆うことで楔４が支持穴２ｃから脱落することを防止する。フランジ部６ｂの外歯部材２側の面には、楔押部６ｃが突設されている。楔押部６ｃは、フランジ部６ｂの外周に沿う円弧形状を有しており、支持穴２ｃと支持突部３ｄの間に回動可能に設置される。
【００１９】
楔押部６ｃと楔４の間には、図３，４に示すように弾性部材７が設置される。弾性部材７は、屈曲された板ばねであって、支持穴２ｃの壁面と支持突部３ｄの間で、かつ楔押部６ｃと楔４の間の隙間に収められる。そして弾性部材７は、ロック用ばね５のばね力よりも小さいばね力を有している。
【００２０】
したがってモータや操作レバーによってロック解除部材６を回転させると、楔押部６ｃが支持穴２ｃと支持突部３ｄの間に沿って回転する。そして弾性部材７の一つが弾性変形して、弾性部材７を介して楔４がロック解除部材６から力を受ける。そして楔４は、ロック用ばね５を弾性変形させつつ支持穴２ｃの壁面と支持突部３ｄに押し込まれた状態から解除される。これによりリクライニング装置１がロック解除状態になる。
【００２１】
さらにロック解除部材６を回転させると、一方の楔４が他方の楔４を押す。これにより他方の楔４が支持穴２ｃの壁面を押し、外歯部材２が内歯部材３に対して自転しつつ公転する。その結果、外歯部材２と内歯部材３の相対角度が変化する。そして所定の相対角度になった後に、ロック解除部材６に付与していた力を解放することで、ロック用ばね５の付勢力によって一対の楔４が支持穴２ｃの壁面と支持突部３ｄの間に押し込まれる。これによりリクライニング装置１がロック状態になる。かくしてリクライニング装置１によってシートバック１２とシートクッション１１の相対角度が無段階で調整され得る。
【００２２】
以上のように、ロック解除部材６と楔４の間には、図４に示すようにロック用ばね５と別体に形成されかつロック解除部材６の楔４への衝撃を和らげる弾性部材７が設けられている。したがってロック解除する場合は、ロック解除部材６が楔４に向けて移動して弾性部材７が弾性変形する。そのため弾性部材７の弾性力によってロック解除部材６の楔４への衝撃が和らげられ、ロック解除部材６と楔４の間に生じ得る音を小さくすることができる。また弾性部材７は、ロック用ばね５と別体に形成されている。そのためロック用ばね５は、衝撃和らげのために弾性変形することがなく、衝撃和らげのために大きく弾性変形して楔４から外れてしまうことが防止され得る。
【００２３】
また弾性部材７は、ロック用ばね５よりも小さいばね力を有するばねで構成されている。したがってロック解除する場合は、ロック解除部材６によって弾性部材７が弾性変形し、続いてロック用ばね５が弾性変形する。そのため二つのばね力によってスムーズな操作性を得ることができ、かつ好適にロック解除部材６と楔４の間に生じ得る音を小さくすることができる。
【００２４】
また弾性部材７は、図４に示すように支持穴２ｃと支持突部３ｄの間でかつ楔４とロック解除部材６の間に配設される。したがってこれらの隙間を利用して弾性部材７を設置するために弾性部材７が安定良く収まる。そして装置を大きくすることなく、弾性部材７を設けることが可能である。
【００２５】
またリクライニング装置１は、図４に示すように一対の楔４と、一対の弾性部材７を有している。したがってリクライニング装置１は、ロック解除部材６をいずれの方向に回動させてもロック解除され得る。そしていずれの回動方向においても弾性部材７が弾性変形するため、ロック解除部材６と楔４の間に生じ得る音を小さくすることができる。
【００２６】
また弾性部材７は、図４に示すようにロック状態において楔４と楔押部６ｃの両方に当接している。したがってロック状態からロック解除状態にする際において、楔４と楔押部６ｃの間には、常に弾性部材７の弾性力が発生する。したがってロック解除部材６の操作トルクが急激に変化することが防止され得る。そしてロック解除部材６が空回りすることによる操作性の悪化を防止することができる。
【００２７】
（参考の形態１）
参考の形態１は、実施の形態１とほぼ同様に形成されている。しかし参考の形態１は、図４に示す弾性部材７に代えて図５に示す弾性部材１７を有している点において実施の形態１と相違している。参考の形態１の弾性部材１７は、図５に示すようにコイルばねであって、支持穴２ｃの壁面と支持突部３ｄの間であって、かつ楔押部６ｃと楔４の間に設置される。そして弾性部材１７のばね力は、ロック用ばね５のばね力よりも小さくなるように設定されている。
【００２８】
（参考の形態２）
参考の形態２は、実施の形態１とほぼ同様に形成されている。しかし参考の形態２は、図４に示す弾性部材７に代えて図６に示す弾性部材１８を有している点において実施の形態１と相違している。参考の形態２の弾性部材７は、弾性力のある樹脂またはゴムから形成されており、係合部６ｃ１を有している。係合部６ｃ１は、楔押部６ｃの端部に形成された係合部６ｃ１に係合される。そして弾性部材７は、楔押部６ｃとともに支持穴２ｃの壁面と支持突部３ｄの間で、かつ楔押部６ｃと楔４の間に設置される。
【００２９】
（他の実施の形態）
本発明は、実施の形態１に限定されず、以下の形態等であっても良い。
（１）すなわち実施の形態１の支持穴２ｃは、外歯部材２に形成され、支持突部３ｄは、内歯部材３に形成されていた。しかし支持穴が内歯部材に形成され、支持突部が外歯部材に形成される形態であっても良い。
（２）実施の形態１は、一対の楔４と一対の弾性部材７を有していた。しかし楔と弾性部材を一つずつ有する形態であっても良い。
（３）上記実施の形態のリクライニング装置１は、乗物用シート１０に限定されず、種々なタイプの椅子およびシートに用いても良い。
【図面の簡単な説明】
【００３０】
【図１】乗物用シートの側面図である。
【図２】リクライニング装置の分解斜視図とフレームの一部斜視図である。
【図３】リクライニング装置の分解斜視図である。
【図４】リクライニング装置の断面図である。
【図５】図４に相当する参考の形態１のリクライニング装置の断面図である。
【図６】図４に相当する参考の形態２のリクライニング装置の断面図である。
【符号の説明】
【００３１】
１…リクライニング装置
２…外歯部材
２ａ…外歯
２ｃ…支持穴
３…内歯部材
３ａ…内歯
３ｄ…支持突部
４…楔
５…ロック用ばね
６…ロック解除部材
６ｃ…楔押部
７，１７，１８…弾性部材
８…かしめリング
１０…乗物用シート
１１…シートクッション
１２…シートバック
【図１】
0005298554.tif 000002
【図２】
0005298554.tif 000003
【図３】
0005298554.tif 000004
【図４】
0005298554.tif 000005
【図５】
0005298554.tif 000006
【図６】
0005298554.tif 000007